(57)【要約】【課題】発光手段を備えた遊技機において、エッジライト効果により遊技盤の全域を均一に照明可能とする。【解決手段】遊技盤２０の基板をアクリル樹脂部材からなる透光性基板９０で構成し、この透光性基板９０の左右両側の端面９０ａ近傍に、該端面９０ａに沿うようにして蛍光管７００を配置し、この蛍光管７００をハウジング７１０を介して透光性基板９０に取り付ける。これにより、たとえ遊技盤２０が遊技盤取付枠に対して正確に取り付けられていない場合においても、蛍光管７００からの光を透光性基板９０内に確実に入射させてエッジライト効果を十分に発揮させ、遊技盤２０の全域を均一に照明可能とする。【選択図】図４
2006122691.tif 000002
【特許請求の範囲】
【請求項１】
基板の前面に複数の障害物および入賞装置が取り付けられてなる遊技盤を備えた遊技機において、
前記基板が透光性樹脂部材からなり、
前記基板の端面近傍に、該端面に沿うようにして発光手段が配置されており、
前記発光手段が、支持部材を用いて前記基板に取り付けられており、
前記基板に所定のパターンの切り込みを形成したことを特徴とする遊技機。
【請求項２】
前記所定のパターンの切り込みを前記基板の背面に形成したことを特徴とする請求項１記載の遊技機。
【請求項３】
前記所定のパターンの切り込みの間隔は密なる部分と疎なる部分からなることを特徴とする請求項１または２記載の遊技機。
【発明の詳細な説明】
【技術分野】
【０００１】
本発明は、パチンコ遊技機等の遊技機に関するものであり、特にその遊技盤の構成に関するものである。
【背景技術】
【０００２】
パチンコ遊技機等の遊技機は、一般に、基板の前面に複数の障害物および入賞装置が配列された遊技盤を備えており、また遊技盤取付枠には遊技盤を照明するためのランプが設けられ、これにより遊技への興趣を高めるようにしている。しかしながら上記ランプは遊技盤を前面側から照明するように構成されているので、ランプの周辺のみが明るくなるに過ぎず、遊技盤の全域を均一に照明することができない。
【０００３】
これに対し、下記特許文献１に開示されているように、基板の前面に透光性樹脂層を形成するとともにその側端面近傍にランプを配置して該透光性樹脂層を側方から照射するようにすれば、エッジライト効果により遊技盤の全域を均一に照明することが可能となる。
【０００４】
【特許文献１】特開平８−３１８０２６号公報
【発明の開示】
【発明が解決しようとする課題】
【０００５】
しかしながら、上記公報記載の構成においては、ランプが遊技盤取付枠に取り付けられているので、取付枠のゆがみ等によって遊技盤取付枠に対して遊技盤が正確な位置関係で取り付けられていないと、ランプと遊技盤との正確な位置関係が得られなくなり、透光性樹脂層を適正に側方から照射することができなくなるので、エッジライト効果が十分に発揮されず、遊技盤の全域を均一に照明することができなくなる。
【０００６】
本発明は、上記事情に鑑みてなされたものであって、エッジライト効果により遊技盤の全域を均一に照明することができる遊技機を提供することを目的とするものである。
【課題を解決するための手段】
【０００７】
上記目的を達成するために、本発明に係る遊技機は、基板の前面に複数の障害物および入賞装置が取り付けられてなる遊技盤を備えた遊技機において、
前記基板が透光性樹脂部材からなり、
前記基板の端面近傍に、該端面に沿うようにして発光手段が配置されており、
前記発光手段が、支持部材を用いて前記基板に取り付けられており、
前記基板に所定のパターンの切り込みを形成したことを特徴とするものである。
【０００８】
上記「透光性樹脂部材」は、透光性を有するものであれば特定種類の樹脂部材に限定されるものではなく、例えば、アクリル樹脂部材、ポリカーボネート樹脂部材等が採用可能である。また、この「透光性樹脂部材」は、単一樹脂材料で構成してもよいし、複数種類の樹脂材料を積層することにより構成してもよい。さらに、この「透光性樹脂部材」の前面に耐磨耗性や耐衝撃性を向上させるための薄膜を設けるようにしてもよい。
【０００９】
上記「発光手段」は、基板の端面に沿うようにして配置されたものであれば、その具体的構成は特に限定されるものではなく、例えば蛍光管や複数の小型電球、ＬＥＤ等が採用可能である。
【００１０】
また、上記「支持部材」についても、その具体的構成は特に限定されるものではない。
【００１１】
また、前記所定のパターンの切り込みを前記基板の背面に形成することが可能である。
【００１２】
さらに、前記所定のパターンは所望の明るさの分布が得られるように適宜設定することが可能である。
【発明の効果】
【００１３】
本発明に係る遊技機は、請求項１に記載したように、透光性樹脂部材からなる基板の端面近傍に、該端面に沿うようにして発光手段が配置されており、この発光手段が、支持部材を用いて基板に取り付けられているので、たとえ遊技盤が遊技盤取付枠に対して正確に取り付けられていない場合においても、発光手段からの光を基板内に確実に入射させることができ、これによりエッジライト効果を十分に発揮させることができる。
【００１４】
また、基板に所定パターンの切り込みを形成するように構成しているので、基板内に入射した発光手段からの光を該切り込み形成部分において内面反射させて外面を効率良く発光させることができ、これにより遊技盤の全域をより均一にあるいは任意の部位を特に明るく照明することができる。
【００１５】
このように本発明によれば、発光手段を備えた遊技機において、エッジライト効果により遊技盤の全域を均一に照明することができる。
【００１６】
上記構成において、請求項２に記載したように、所定のパターンの切り込みを基板の背面に形成することで、遊技球の通過に影響を及ぼさないようにすることができる。
【００１７】
さらに上記構成において、「所定のパターン」は所望の明るさの分布が得られるように適宜設定すればよい。例えば、請求項３に記載したように、所定のパターンの切り込みの間隔は密なる部分と疎なる部分から形成するようにすることで、照明の明暗状態を簡易に変えることができる。
【発明を実施するための最良の形態】
【００１８】
以下、本発明の一実施形態について図面を参照しつつ詳細に説明する。
【００１９】
図１は、本実施形態に係るパチンコ遊技機の遊技盤を示す正面図であり、図２は、この遊技盤の背面側の構造を分解して示す斜視図である。
【００２０】
図１に示すように、遊技盤２０の前面には、その左側に配設された略円弧状の内外一対の案内レール３０、４０により、発射部（図示せず）から発射された遊技球を案内するための発射球案内路６０が形成されており、内側案内レール３０および外側案内レール４０の延長部により囲まれた略円形の領域が遊技部７０となっている。
【００２１】
この遊技部７０内には、ほぼ中央に可変表示装置を構成する大型の液晶画面８０が配されており、この液晶画面８０上およびその周囲には、天釘等の複数の障害釘（図示せず）が植設されている。また、液晶画面８０の下方には、普通変動入賞装置である始動口機能を有する始動入賞装置１００が設けられており、この始動入賞装置１００のさらに下方には、大型変動入賞装置であるアタッカ１１０が設けられている。さらに、遊技部７０内には、複数の一般入賞口１２０が設けられており、アタッカ１１０の下方には、遊技部７０内に弾発されていずれの一般入賞口１２０あるいは始動入賞装置１００にも入賞しなかった遊技球１５０を遊技部７０から排出するためのアウト口１３０が設けられている。
【００２２】
また、この遊技盤２０は、アクリル樹脂部材からなる透光性基板９０（基板）の背面側に、液晶画面８０を構成するための液晶表示装置２００が配設され、一方、その透光性基板９０の前面側に、上述したような始動入賞装置１００、アタッカ１１０、一般入賞口１２０等の各種役物や天釘等の複数の障害釘（障害物および入賞装置）、さらにはアウト口１３０等の各種部材が設けられてなっている。
【００２３】
このように、液晶画面８０を大型化した場合には遊技部７０内に打ち込まれた遊技球が液晶画面８０の前面を落下することとなるため、液晶画面８０の前面に多数の障害釘や風車等の各種役物を配設することが必要となり、したがって、液晶表示装置２００の前面に上述した障害釘や各種役物等を取り付け得る透光性基板９０を配設し、この透光性基板９０を介して液晶表示装置２００の液晶画面８０上の表示画像を遊技者が視認可能とすることが必要となる。
【００２４】
ところで、図２に示すように、透光性基板９０の背後には、入賞口に入賞した遊技球を入賞球センサに案内する入賞球集合樋アッセンブリ４００等の種々の部材が配設されている。そのため、液晶表示装置２００の液晶画面８０のみならずこのような種々の機構部材も、図１の点線で表示される如く遊技者から視認可能となり、遊技の興趣を著しく欠く状態となってしまう。
【００２５】
そこで、本実施形態においては、一部に透明領域３２０を有し、その余は不透明領域３１０とされたセルシート３００を、透光性基板９０の背面に接着剤によって貼着するようにしている。
【００２６】
すなわち、このセルシート３００は、ＣＡＢ（セルロースアセトブチレート）からなる２００μｍ程度の厚みを有するフィルムであって、遊技者が遊技盤２０の絵柄として視認する絵柄を不透明インクによりグラビア印刷された不透明領域３１０と、印刷を行うことなく透明体のままとされた、上記液晶表示装置２００の液晶画面８０に対向する透明領域３２０とからなる。なお、このセルシート３００には、透光性基板９０の前面の各種入賞口から入賞球集合樋アッセンブリ４００に遊技球を流下させるために玉通路に合わせた形状に穿設された複数の孔３３０が設けられている。
【００２７】
このように透明領域３２０と不透明領域３１０とを有するセルシート３００を透光性基板９０の背面に貼着することにより、透光性基板９０がある程度の厚みを有していても液晶表示装置２００とセルシート３００の透明領域３２０とを近接して配設することができるので、液晶画面８０の表示画像を視認可能としつつ、遊技者が液晶画面８０を斜めからみた場合にも透光性基板９０の背面側に配されている入賞球集合樋アッセンブリ４００等の裏機構を確実に隠蔽することが可能となる。
【００２８】
図３は、図１に示す遊技盤２０の側断面を示す概念図である。すなわち、図３において、前面側に複数の障害釘５００等が取り付けられた透光性基板９０の背面にセルシート３００が貼着されており、このセルシート３００を介して、液晶表示装置２００が配設されている様子が示されている。
【００２９】
透光性基板９０の前側には前面ガラス板６００が示されており、透光性基板９０の裏側には入賞球集合樋アッセンブリ４００の球通路が配される様子が示されている。
【００３０】
液晶表示装置２００および入賞球集合樋アッセンブリ４００は、各々ネジ締めにより透光性基板９０に固定されている。
【００３１】
図４は、上記遊技盤２０の要部を示す平面図（ａ）および正面図（ｂ）である。
【００３２】
これらの図に示すように、透光性基板９０の左右両側の端面９０ａ近傍には、該端面９０ａに沿うようにして延びる蛍光管７００（発光手段）が各々配置されている。これら各蛍光管７００は、ハウジング７１０（支持部材）を用いて透光性基板９０に取り付けられている。
【００３３】
上記各ハウジング７１０は、上下方向に延びる長尺の箱形に形成されており、蛍光管７００を収容するとともにその上下両端部において、蛍光管７００の端子部を導通支持するようになっている。そして、これら各ハウジング７１０は、透光性基板９０の側部に挿着された状態でネジ締めにより上下２箇所において透光性基板９０に固定されるようになっている。
【００３４】
その際、ハウジング７１０の挿着は、透光性基板９０と共にその背面に貼着されたセルシート３００も一緒に挟み込むようにして行われるようになっている。また、上記ネジ締めは、ハウジング７１０に形成された各ネジ孔７１０ａと透光性基板９０およびセルシート３００に形成されたネジ挿通孔９０ｂ、３００ａとを位置合わせした状態で、ネジ７２０を締め付けることにより行われるようになっている。
【００３５】
以上詳述したように、本実施形態に係る遊技機は、その遊技盤２０の基板がアクリル樹脂部材からなる透光性基板９０で構成されており、この透光性基板９０の左右両側の端面９０ａ近傍に、該端面９０ａに沿うようにして蛍光管７００が配置されており、この蛍光管７００がハウジング７１０を介して透光性基板９０に取り付けられているので、たとえ遊技盤２０が遊技盤取付枠に対して正確に取り付けられていない場合においても、蛍光管７００からの光を透光性基板９０内に確実に入射させることができる。このためエッジライト効果を十分に発揮させることができ、これにより遊技盤２０の全域を均一に照明することができる。
【００３６】
しかも本実施形態においては、ハウジング７１０を透光性基板９０の側部に挿着する際、セルシート３００も一緒に挟み込むようになっているので、ハウジング７１０によりセルシート３００の剥離防止を図ることができる。なお、このようにする代わりに、透光性基板９０のみを挟み込む構成とし、セルシート３００はハウジング７１０が挿着された透光性基板９０の背面の残存領域に貼着するようにしてもよい。
【００３７】
上記実施形態においては、セルシート３００が透光性基板９０の背面に貼着されている場合について説明したが、セルシート３００を透光性基板９０の前面に貼着するようにした場合においても、その全面あるいは一部が透明領域として形成されたものであれば、該領域に関して上記実施形態と同様の作用効果を得ることができる。セルシート３００を透光性基板９０と一体でその前後中間位置に埋設するようにした場合にも、上記実施形態と同様の作用効果を得ることができる。
【００３８】
上記実施形態においては、透光性基板９０の板厚が一定である場合について説明したが、図５に示すように、透光性基板９０として、その背面が左右両側の端面９０ａから左右中央部９０ｃへ向けて曲面状に窪んだ形状にされたものを用いるようにしてもよい。このようにすることにより、透光性基板９０内に入射した蛍光管７００からの光を透光性基板９０の左右中央部９０ｃにおいても前方へ効率良く照射させることができ、これにより遊技盤２０の全域をより均一に照明することができる。
【００３９】
また上記実施形態においては、透光性基板９０の表面が平滑面である場合について説明したが、図６に示すように、透光性基板９０の背面に格子状パターンの切り込み９０ｄを形成するようにしてもよい。このようにすることにより、透光性基板９０内に入射した蛍光管７００からの光を該切り込み９０ｄの形成部分において内面反射させて前方へ効率良く照射させることができるので、透光性基板９０内に入射した蛍光管７００からの光を上記格子状パターンに応じた明るさ分布で前方へ向けて効率良く照射させることができ、これにより遊技盤２０の全域をより均一にあるいは任意の部位を特に明るく照明することができる。
【００４０】
その際、遊技盤２０の全域を均一に明るく照明するためには、蛍光管７００から最も離れた透光性基板９０の左右中央部９０ｃの格子間隔を密にすることが望ましい。なお、上記切り込み９０ｄは、格子状パターン以外のパターンで形成するようにしてもよいことはもちろんである。
【００４１】
さらに上記実施形態においては、透光性基板９０の左右両側の端面９０ａが平滑面である場合について説明したが、図８に示すように、透光性基板９０の端面９０ａに多数の微小凹凸部を形成し、入射光がランダム方向に拡散するようにしてもよい。このようにすることにより、蛍光管７００からの光が透光性基板９０内に拡散光として入射するので、遊技盤２０の全域をより均一に照明することができる。また、図７に示すように、透光性基板９０の左右両側の端面９０ａに蛍光管７００を収容する凹陥部９０ｅが形成された構成としてもよく、このようにすることによりハウジング７１０の構成を簡素化することができる。同図においては、透光性基板９０の側部にハウジング７１０を嵌め込む構成を採用することも可能である。
【００４２】
なお、上述した図５〜８の構成を、適宜組み合わせて上記実施形態に盛り込むようにすれば、それぞれの作用効果を上記実施形態の作用効果に重畳させることができる。
【００４３】
上記透光性基板９０の形成材料としては、障害釘５００や各種役物の取り付け保持が可能で透明度の高いものであることが必要であるが、必ずしもアクリル樹脂に限られるものではなく、その他、ポリカーボネート（ＰＣ）樹脂等の各種樹脂材料が使用可能である。
【００４４】
上記セルシート３００は、上記実施形態のように液晶画面８０に対応する領域のみならず、所望とされる領域を透明領域３２０とすることが可能である。
【００４５】
上記セルシート３００を透光性基板９０に貼着するための接着剤としては、平滑性および透明性に富むものを選択することが好ましい。
【００４６】
上記セルシート３００の形成材料としては、透明性が高く、印刷用インクの塗着が容易なものであれば、上述したＣＡＢに限られるものではない。
【００４７】
また、上記実施形態においては、液晶表示装置２００を表示手段として用いているが、これに代えてＣＲＴ等の他の表示装置やランプあるいはＬＥＤを表示手段として用いるようにしてもよい。
【００４８】
上記実施形態においては、遊技機がパチンコ遊技機である場合について説明したが、本発明に係る遊技機は、パチンコ遊技機のみならずその他の種々の遊技機に適用可能であり、例えばアレンジボール遊技機等に適用可能である。
【図面の簡単な説明】
【００４９】
【図１】本発明の一実施形態に係る遊技機の遊技盤を示す正面図
【図２】図１に示す遊技盤の分解斜視図
【図３】図１に示す遊技盤の側断面図
【図４】図１に示す遊技盤の要部を示す平面図（ａ）および正面図（ｂ）
【図５】図１に示す遊技盤の第１変形例の要部を示す平面図
【図６】図１に示す遊技盤の第２変形例の要部を示す正面図
【図７】図１に示す遊技盤の第３変形例の要部を示す平面図
【図８】図１に示す遊技盤の第４変形例の要部を示す正面図
【符号の説明】
【００５０】
２０・・・遊技盤
３０、４０・・・案内レール
６０・・・発射球案内路
７０・・・遊技部
８０・・・液晶画面
９０・・・透光性基板（基板）
９０ａ・・・端面
９０ｂ・・・ネジ挿通孔
９０ｃ・・・左右中央部
９０ｄ・・・切り込み
９０ｅ・・・凹陥部
１００・・・始動入賞装置
１１０・・・アタッカ
１２０・・・一般入賞口
１３０・・・アウト口
２００・・・液晶表示装置
３００・・・セルシート
３００ａ・・・ネジ挿通孔
３１０・・・不透明領域
３２０・・・透明領域
３３０・・・孔
４００・・・入賞球集合樋アッセンブリ
５００・・・障害釘
６００・・・前面ガラス
７００・・・蛍光管（発光手段）
７１０・・・ハウジング（支持部材）
７１０ａ・・・ネジ孔
【図１】
2006122691.tif 000003
【図２】
2006122691.tif 000004
【図３】
2006122691.tif 000005
【図４】
2006122691.tif 000006
【図５】
2006122691.tif 000007
【図６】
2006122691.tif 000008
【図７】
2006122691.tif 000009
【図８】
2006122691.tif 000010